(57)【特許請求の範囲】
【請求項１】
遊技球を払い出す排出装置と、所定の入力に基づき所定数の賞球もしくは貸球を払い出すように前記排出装置を制御する払出制御装置と、を備えた遊技機において、
前記払出制御装置は、払出制御基板と、該払出制御基板を内部の空間に収納する基板ボックスと、を備え、
前記基板ボックスは、ボックス構成部材と、前記ボックス構成部材と接合することによって第１空間を形成する第１被覆部と、前記ボックス構成部材と前記第１被覆部とをかしめて固着する第１固着手段と、前記第１被覆部と外側で接合することによって第２空間を形成する第２被覆部と、前記第１被覆部と前記第２被覆部とをかしめて固着する第２固着手段と、を備え、
前記払出制御基板は、単位金額あたりの貸球の払出数を変更するための設定変更手段を備え、
前記払出制御基板における前記設定変更手段を除く部分は、前記第１空間に収納され、
前記設定変更手段は、前記第２空間に収納され、
前記第２固着手段を破壊することで、前記第１被覆部と前記第２被覆部との固着が解除されて、前記設定変更手段のみを外部に露出可能となり、
前記第１固着手段を破壊することで、前記ボックス構成部材と前記第１被覆部との固着が解除されて、前記払出制御基板のみを外部に露出可能となることを特徴とする遊技機。
【請求項２】
前記第１被覆部には、前記設定変更手段を、前記第１空間に収納される前記払出制御基板に対して電気的に接続可能とするための開口が形成されるとともに、前記設定変更手段を前記第１被覆部に係止する係止手段が設けられていることを特徴とする請求項１に記載の遊技機。
【請求項３】
前記第２被覆部は係合突起を備えるとともに、前記第１被覆部は前記係合突起と係合する被係合部を備え、
前記被係合部は、前記払出制御基板を収納する前記空間に貫通しない凹部であることを特徴とする請求項１または２に記載の遊技機。
【請求項４】
前記第２被覆部は、前記設定変更手段を、前記設定変更手段と前記払出制御基板とを接続するコネクタと共に覆うことを特徴とする請求項２または３に記載の遊技機。
【発明の詳細な説明】
【技術分野】
【０００１】
本発明は、遊技球を払い出す排出装置と、所定の入力に基づき所定数の賞球もしくは貸球を払い出すように排出装置を制御する払出制御装置と、を備えた遊技機に関する。
【背景技術】
【０００２】
従来、遊技機の制御装置の基板に対する不正改造を防止するため、基板を収容する基板ボックスにかしめ部を設けるとともに、該かしめ部をワンウェイねじにより固定するようにして、かしめ部を破壊しなければ開封できないようにした基板ボックスがある（例えば、特許文献１参照）。
【特許文献１】特開平１０−２４９０２１号公報
【発明の開示】
【発明が解決しようとする課題】
【０００３】
球貸機からの信号に基づき所定数の貸球を排出するようにした遊技機において、遊技球の払い出しを制御する払出制御基板に、例えば、消費税の税率の変更や、貸球金額の変更に対応して、単位金額あたりの貸球数を変更する設定変更手段を設けることが考えられる。このとき、上記特許文献１に示されているような基板ボックスでは、設定変更手段を操作する際にかしめ部を破壊して基板ボックスを開封してから操作する必要がある。しかしこれでは、単なる設定の変更の際でも基板全体を外部に晒すこととなるので、設定変更手段を操作する際に、同時に基板に何らかの改変を加えることも可能となってしまうという問題が発生する。
【０００４】
本発明の目的は、遊技球を払い出す排出装置と、所定の入力に基づき所定数の賞球もしくは貸球を払い出すように排出装置を制御する払出制御装置と、を備えた遊技機において、不必要な基板の露出を防ぐとともに、遊技機の信頼性を高めることである。
【課題を解決するための手段】
【０００５】
以上の課題を解決するため、請求項１に記載の発明は、遊技球を払い出す排出装置と、所定の入力に基づき所定数の賞球もしくは貸球を払い出すように前記排出装置を制御する払出制御装置と、を備えた遊技機において、
前記払出制御装置は、払出制御基板と、該払出制御基板を内部の空間に収納する基板ボックスと、を備え、
前記基板ボックスは、ボックス構成部材と、前記ボックス構成部材と接合することによって第１空間を形成する第１被覆部と、前記ボックス構成部材と前記第１被覆部とをかしめて固着する第１固着手段と、前記第１被覆部と外側で接合することによって第２空間を形成する第２被覆部と、前記第１被覆部と前記第２被覆部とをかしめて固着する第２固着手段と、を備え、
前記払出制御基板は、単位金額あたりの貸球の払出数を変更するための設定変更手段を備え、
前記払出制御基板における前記設定変更手段を除く部分は、前記第１空間に収納され、
前記設定変更手段は、前記第２空間に収納され、
前記第２固着手段を破壊することで、前記第１被覆部と前記第２被覆部との固着が解除されて、前記設定変更手段のみを外部に露出可能となり、
前記第１固着手段を破壊することで、前記ボックス構成部材と前記第１被覆部との固着が解除されて、前記払出制御基板のみを外部に露出可能となることを特徴とする。
【０００６】
請求項１に記載の発明によれば、基板ボックスは、ボックス構成部材と、ボックス構成部材と接合することによって払出制御基板における設定変更手段を除く部分を収納する第１空間を形成する第１被覆部と、ボックス構成部材と第１被覆部とをかしめて固着する第１固着手段と、第１被覆部と外側で接合することによって設定変更手段を収納する第２空間を形成する第２被覆部と、第１被覆部と第２被覆部とをかしめて固着する第２固着手段と、を備え、第２固着手段を破壊することで、第１被覆部と第２被覆部との固着が解除されて設定変更手段のみを外部に露出可能となり、第１固着手段を破壊することで、ボックス構成部材と第１被覆部との固着が解除されて、払出制御基板のみを外部に露出可能となるので、不必要な基板の露出を防ぐことができるとともに、遊技機の信頼性を高めることができる。すなわち、第２固着手段による固着のみを解除することで、払出制御基板が外部に露出することなく設定変更手段のみが操作可能となる。よって、単位金額あたりの貸球の払出数を変更する際に、同時に基板に何らかの改変を加えることが不可能となり、遊技機の信頼性を高めることができる。また、第１固着手段による固着を解除すれば基板の確認も可能である。
【０００７】
請求項２に記載の発明は、請求項１に記載の遊技機であって、前記第１被覆部には、前記設定変更手段を、前記第１空間に収納される前記払出制御基板に対して電気的に接続可能とするための開口が形成されるとともに、前記設定変更手段を前記第１被覆部に係止する係止手段が設けられていることを特徴とする。
【０００８】
請求項２に記載の発明によれば、前記第１被覆部には、設定変更手段を、前記第１空間に収納される払出制御基板に対して電気的に接続可能とするための開口が形成されるとともに、前記設定変更手段を第１被覆部に係止する係止手段が設けられているので、遊技機の信頼性を高めることができる。すなわち、基板の確認を行う際に、第１固着手段による固着を解除して第１被覆部を取り外すと、一緒に設定変更手段も取り外されて設定の変更ができない状態となる。また、単位金額あたりの貸球の払出数を変更する際に、第２固着手段による固着のみを解除すれば、払出制御基板を外部に露出させることなく設定変更手段のみを操作可能となる。よって、基板の確認と、設定の変更とで、固着を解除する必要のある固着手段が異なるので、目的とする作業以外の作業が行われることを防止でき、また後に、設定変更手段のみを操作したのか、同時に基板に何らかの改変を加えたのかがわからなくなってしまうこともなく、遊技機の信頼性を高めることができる。
【０００９】
請求項３に記載の発明は、請求項１または２に記載の遊技機であって、前記第２被覆部は係合突起を備えるとともに、前記第１被覆部は前記係合突起と係合する被係合部を備え、
前記被係合部は、前記払出制御基板を収納する前記空間に貫通しない凹部であることを特徴とする。
【００１０】
請求項３に記載の発明によれば、第２被覆部は係合突起を備えるとともに、第１被覆部は係合突起と係合する被係合部を備えるので、第２被覆部と第１被覆部とが確実に固定される。また、被係合部は、払出制御基板を収納する空間に貫通しない凹部であるので、被係合部を介して設定変更手段や基板が操作されることがなく、遊技機の信頼性を高めることができる。
【００１１】
請求項４に記載の発明は、請求項２または３に記載の遊技機であって、前記第２被覆部は、前記設定変更手段を、前記設定変更手段と前記払出制御基板とを接続するコネクタと共に覆うことを特徴とする。
【００１３】
請求項４に記載の発明によれば、第２被覆部は、設定変更手段を、設定変更手段と払出制御基板とを接続するコネクタと共に覆うので、設定変更手段を介さずに直接コネクタから基板を操作されることがなく、遊技機の信頼性を一層高めることができる。
【発明の効果】
【００１４】
本発明によれば、基板ボックスは、ボックス構成部材と、ボックス構成部材と接合することによって払出制御基板における設定変更手段を除く部分を収納する第１空間を形成する第１被覆部と、ボックス構成部材と第１被覆部とをかしめて固着する第１固着手段と、第１被覆部と外側で接合することによって設定変更手段を収納する第２空間を形成する第２被覆部と、第１被覆部と第２被覆部とをかしめて固着する第２固着手段と、を備え、第２固着手段を破壊することで、第１被覆部と第２被覆部との固着が解除されて設定変更手段のみを外部に露出可能となり、第１固着手段を破壊することで、ボックス構成部材と第１被覆部との固着が解除されて、払出制御基板のみを外部に露出可能となるので、不必要な基板の露出を防ぐことができるとともに、遊技機の信頼性を高めることができる。すなわち、第２固着手段による固着のみを解除することで、払出制御基板が外部に露出することなく設定変更手段のみが操作可能となる。よって、単位金額あたりの貸球の払出数を変更する際に、同時に基板に何らかの改変を加えることが不可能となり、遊技機の信頼性を高めることができる。また、第１固着手段による固着を解除すれば基板の確認も可能である。
【発明を実施するための最良の形態】
【００１５】
以下、この発明の実施形態について図面を参照して説明する。
ここでは、本発明にかかる遊技機の適例としてのパチンコ遊技機について説明を行う。
【００１６】
図１に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００１７】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００１８】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は前面枠本体１３０に嵌め込まれることで前面枠１２０に取り付けられている。
【００１９】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板との間で、遊技盤１の前面に設けられたガイドレール２に囲まれた部分が、遊技球が発射されて流下する遊技領域１ａとされている。
【００２０】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板が固定されている。そして、クリア部材保持枠１４０において、遊技機１００の前側からガラス板を介して遊技盤１の前面側の少なくとも遊技領域１ａの部分が視認可能となっている。また、クリア部材保持枠１４０の前面であって、ガラス板が固定されて遊技領域１ａを視認可能とする部分の周囲には、内部にＬＥＤ基板４３（図２に図示）を備える枠装飾装置１４１、音声を出力するスピーカ１４５，１４５などが設けられている。
【００２１】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２２】
また、前面枠本体１３０の前面側のクリア部材保持枠１４０の下側には、発射操作ユニット１５０が取り付けられている。発射操作ユニット１５０は左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００２３】
遊技盤１は、各種部材の取付ベースとなる平板状の遊技盤本体１ｂ（木製もしくは合成樹脂製）を備え、該遊技盤本体１ｂの前面にガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００２４】
遊技領域１ａ内には、普図始動ゲート４と、普図変動表示ゲームの未処理回数を表示する普図記憶表示器６、普図の変動表示ゲームを表示する普図表示器５（図２に図示）が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器５、特図記憶表示器、特図表示器９は、遊技状態を表す状態表示器８と併せて、セグメントＬＥＤとして一体に設けられている。
【００２５】
さらに遊技領域１ａには、上端側が手前側に倒れる方向に回動して開放可能になっているアタッカ形式の開閉扉１０ａを有し、補助遊技としての特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００２６】
普図始動ゲート４内には、該普図始動ゲート４を通過した遊技球を検出するためのゲートＳＷ４ａ（図２に図示）が設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図記憶表示器にて表示されるようになっている。
【００２７】
普図（普通図柄）変動表示ゲームは、遊技領域１ａ内に設けられた普図表示器５で実行されるようになっている。なお、画像表示装置４１の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図の変動表示ゲームの始動が容易となる。
【００２８】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイド（普電ＳＯＬ７ｂ、図２に図示）によって、逆「ハ」の字状に開いて普通変動入賞装置７に遊技球が流入し易い状態（遊技者にとって有利な状態）に変化させられるようになっている。
【００２９】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた始動口ＳＷ７ｄ（図２に図示）によって遊技球を検出することに基づき、補助遊技としての特図変動表示ゲームを開始する始動権利が発生するようになっている。
【００３０】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００３１】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、ＬＥＤを備える特図記憶表示器にて表示されるようになっている。
【００３２】
補助遊技としての特図（特別図柄、識別情報）変動表示ゲームは、遊技領域１ａ内に設けられた特図表示器９で実行されるようになっており、複数の識別情報を変動表示したのち、所定の結果態様を停止表示することで行われる。また、画像表示装置４１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置４１の表示態様も特別結果態様（例えば、「７，７，７」等のゾロ目数字の何れか）となる。なお、遊技機に特図表示器９を備えずに、画像表示装置４１のみで特図変動表示ゲームを実行するようにしても良い。
【００３３】
また、遊技領域１ａの略中央には、特図変動表示ゲームの表示領域となる窓部２２を形成するセンターケース２０が取り付けられている。このセンターケース２０に形成された窓部２２の後方には、画像表示装置４１が配されるようになっている。この画像表示装置４１は、例えば、液晶ディスプレイを備え、表示内容が変化可能な表示部４２がセンターケース２０の窓部２２を介して遊技盤１の前面側から視認可能となるように配されている。なお、画像表示装置４１は、液晶ディスプレイを備えるものに限らず、ＥＬ、ＣＲＴ等のディスプレイを備えるものであっても良い。
【００３４】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイド（大入賞口ＳＯＬ１０ｂ、図２に図示）により駆動される。また、大入賞口の内部（入賞領域）には、該大入賞口に入った遊技球を検出する検出手段としてのカウントＳＷ１０ｃ（図２に図示）が配設されている。
【００３５】
また、遊技領域１ａに設けられた各一般入賞口１２には、一般入賞口１２に入った遊技球を検出するための入賞口ＳＷ１２ａ（図２に図示）が配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が排出装置１６０（図２に図示）によって排出される（払い出される）ようになっている。排出装置１６０には払出モータが設けられ、該払出モータを駆動することにより所定数の賞球が払い出される。
【００３６】
また、図２に示すように、遊技機１００は、その制御系として遊技の進行を制御する遊技制御装置３０、この遊技制御装置３０の制御下で各種の演出に関する制御を行うサブ制御装置としての演出制御装置４０、遊技球の払い出しに関する制御を行う払出制御装置５０を備えている。
【００３７】
遊技制御装置３０は、ＣＰＵ３０ａ、ＲＡＭ３０ｂ、ＲＯＭ３０ｃ等を備えるとともに、入出力インタフェース３２（入出力Ｉ／Ｆ）等により構成されている。ＣＰＵ３０ａは、制御部、演算部を備え、演算制御を行う他、特図変動表示ゲームの大当たり判定用乱数値などの各種乱数値なども生成している。ＲＡＭ３０ｂは、普通変動入賞装置７に設けられた始動口ＳＷ７ｄのオン信号などを記憶する記憶領域や、前記各種乱数値の記憶領域、並びに、ＣＰＵ３０ａの作業領域等を備えている。ＲＯＭ３０ｃには、遊技上の制御プログラムや制御データが書き込まれている他、上述の各種乱数値に対応して、特図変動表示ゲームの大当り発生を判定するための、特図変動表示ゲームの大当り判定値、変動パターン（リーチアクションの種類）の判定値などが記憶されている。
【００３８】
また、入出力インタフェース３２には、ローパスフィルタ及びバッファーゲートを介して、始動口ＳＷ７ｄ、ゲートＳＷ４ａ、入賞口ＳＷ１２ａ，１２ａ，…、カウントＳＷ１０ｃ、払出制御装置５０などが接続されている。そして、入出力インタフェース３２は、これらから入力された各種信号を中継し、ＣＰＵ３０ａに対し出力する。
【００３９】
また、入出力インタフェース３２には、ＣＰＵ３０ａから出力される各種の制御信号が入力される。これら制御信号は、該入出力インタフェース３２により中継されて、図示しない出力ポート及びドライバを介して、特図表示器９、特図記憶表示器、普図表示器５、普図記憶表示器、大入賞口ＳＯＬ１０ｂ、普電ＳＯＬ７ｂ、状態表示器８、遊技機外部の管理装置などと接続する外部端子板１６、演出制御装置４０、払出制御装置５０に出力される。
【００４０】
サブ制御装置としての演出制御装置４０は、演算処理用ＣＰＵ４０ａ、ＲＯＭ４０ｂ、ＲＡＭ４０ｃ、入出力インタフェース４０ｄ（入出力Ｉ／Ｆ）等により構成されている。この演出制御装置４０は、入出力インタフェース４０ｄを介して遊技制御装置３０から受信した演出制御データに基づいて（遊技制御装置３０の制御の下に）遊技機１００の制御を行うものである。また、入出力インタフェース４０ｄには、画像表示装置４１、遊技盤１やクリア部材保持枠１４０の枠装飾装置１４１として設けられた各種ＬＥＤ基板４３や、可動演出装置の装飾モータ４４、スピーカ１４５，１５７が接続され、遊技制御装置３０の制御のもとこれらを制御することで遊技の演出を行うようになっている。
【００４１】
また、払出制御装置５０は、ＣＰＵ５０ａ、ＲＡＭ５０ｃ、ＲＯＭ５０ｂ、入出力インタフェース５０ｄ（入出力Ｉ／Ｆ）、単位金額あたりの貸球の払出数を変更する設定変更手段５８等により構成されている。この払出制御装置５０は、所定の入力に基づいて所定数の遊技球（賞球、貸球）を排出装置１６０から排出させる制御を行うものである。
【００４２】
入出力インタフェース５０ｄには、遊技制御装置３０、遊技機１００の正面における遊技者が操作可能な位置に設けられた球貸ＳＷ１２６、返却ＳＷ１２７が接続されており、入出力インタフェース５０ｄは、これらから入力された各種信号を中継し、ＣＰＵ５０ａに対し出力する。また、入出力インタフェース５０ｄには、遊技機１００の異常状態を検出するセンサをなす、オーバーフローＳＷ１２５、ガラス枠開放ＳＷ１４６、内枠開放ＳＷ１２１、球切れＳＷ１２２、払出球検出ＳＷ１２３などが接続されている。なお、オーバーフローＳＷ１２５は、下皿１５４が満杯であることを検出するものであり、ガラス枠開放ＳＷ１４６は、クリア部材保持枠１４０が開放されていることを検出するものである。また、内枠開放ＳＷ１２１は、前面枠１２０が開放されていることを検出するものであり、球切れＳＷ１２２は、島設備から供給された遊技球を排出装置１６０に誘導するシュートに設けられ、シュート内の遊技球がなくなったことを検出するものである。また、払出球検出ＳＷ１２３は、賞球として払い出される遊技球を検出するものである。また、入出力インタフェース５０ｄにはＣＰＵ５０ａから出力される各種の制御信号が入力される。これら制御信号は、該入出力インタフェース５０ｄにより中継されて、図示しない出力ポート及びドライバを介して、排出装置１６０や台間機３００に出力されるようになっている。
【００４３】
また、遊技制御装置３０には、電源供給装置（図示略）から電力が供給されており、その他の装置にも電源供給装置から電力が供給されるようになっている。さらに、電源供給装置には、停電時等の外部からの電力の供給が途絶えた場合でも電力を供給可能とするためのバックアップ電源が備えられ、停電時等に各制御装置の揮発性メモリに保存されたデータの消失を防止するようになっている。
【００４４】
また、遊技機１００に隣接して設けられる台間機３００（カードユニット、球貸機）は、カードを挿入するカード挿入口３０１、現金（紙幣）を投入する現金投入口３０２、金額などの情報を表示する情報表示部３０３を備える。この台間機３００は、カード挿入口３０１に挿入されるカード（磁気カードやＩＣカード）に記憶されている金額情報の読み書きや、遊技機１００との金額情報の送受信や、現金投入口３０２から投入された現金を処理して金額情報に加算する処理を行う。なお、金額情報を直接カードに記録するのではなく、台間機３００がカードのＩＤを読み出し、カードのＩＤ毎に遊技店に設けられる管理装置に記憶された金額情報を参照して処理するようにしても良い。また、金額情報だけでなく、貯球に関する情報を扱うようにしても良い。
【００４５】
これらの制御回路においては、例えば以下のような制御が行われる。
遊技制御装置３０のＣＰＵ３０ａでは、普図始動ゲート４に備えられたゲートＳＷ４ａからの遊技球の検出信号の入力に基づき、普図の当たり判定用乱数値を抽出してＲＯＭ３０ｃに記憶されている判定値と比較し、普図変動表示ゲームの当たり外れを判定する処理を行う。そして、普図表示器５に、識別図柄を所定時間変動表示した後、停止表示する普図変動表示ゲームを表示する処理を行う。この普図変動表示ゲームの結果が当たりの場合は、普図表示器５に特別の結果態様を表示するとともに、普電ＳＯＬ７ｂを動作させ、普通変動入賞装置７の開閉部材７ａ，７ａを所定時間（例えば、０.５秒間）上述のように開放する制御を行う。なお、普図変動表示ゲームの結果がはずれの場合は、普図表示器５にはずれの結果態様を表示する制御を行う。
【００４６】
また、普通変動入賞装置７に備えられた始動口ＳＷ７ｄからの遊技球の検出信号の入力に基づき、特図の大当たり判定用乱数値を抽出してＲＯＭ３０ｃに記憶されている判定値と比較し、特図変動表示ゲームの当たり外れを判定する処理を行う。また、この他に変動パターンの判定を行う処理などを行い、これらの結果を含む制御信号（演出制御コマンド）を、演出制御装置４０に出力する。そして、特図表示器９に、識別図柄を所定時間変動表示した後、停止表示する特図変動表示ゲームを表示する処理を行う。また、演出制御装置４０では、遊技制御装置３０からの制御信号に基づき、画像表示装置４１で特図変動表示ゲームに対応した飾り特図変動表示ゲームを表示する処理や、スピーカ１４５，１５７からの音の出力、枠装飾装置１４１としてのＬＥＤ基板４３のＬＥＤを制御する処理、可動演出装置の装飾モータ４４を動作する処理を行う。
【００４７】
そして、遊技制御装置３０のＣＰＵ３０ａは、特図変動表示ゲームの結果が当たりの場合は、特図表示器９に特別の結果態様を表示するとともに、特別遊技状態を発生させる処理を行う。この特別遊技状態を発生させる処理においては、例えば、大入賞口ＳＯＬ１０ｂにより特別変動入賞装置１０の開閉扉１０ａを開放し、大入賞口内への遊技球の流入を可能とする制御を行う。そして、大入賞口に所定個数（例えば１０個）の遊技球が入賞するか、大入賞口の開放から所定時間（例えば２５秒または１秒）か経過するかの何れかの条件が達成されるまで大入賞口を開放することを１ラウンドとし、これを所定ラウンド回数（例えば１５回または２回）継続する（繰り返す）制御（サイクル遊技）を行う。なお、特図変動表示ゲームの結果がはずれの場合は、特図表示器９にはずれの結果態様を表示する制御を行う。
【００４８】
また、遊技制御装置３０のＣＰＵ３０ａは、遊技機１００の異常状態を検出するセンサからの検出信号に基づき、状態表示器８により異常を報知する制御を行う。また、遊技制御装置３０のＣＰＵ３０ａは、各種入賞口に設けられたセンサ（始動口ＳＷ７ｄ、カウントＳＷ１０ｃ、入賞口ＳＷ１２ａ）から入力される遊技球の検出信号に基づき、払出制御装置５０に制御信号（賞球コマンド）を出力する。そして、払出制御装置５０では、遊技制御装置３０から入力される制御信号（賞球コマンド）に基づき、賞球として所定数の遊技球を排出装置１６０から排出させる制御を行う。
【００４９】
また、払出制御装置５０には、台間機３００から、該台間機３００に挿入されたカードの金額情報が入力されるようになっている。そして、貸出しに使用可能な金額情報がある場合には、球貸ＳＷ１２６の操作に基づき、貸球として所定金額に対応する所定数の遊技球を排出装置１６０から排出させる制御を行う。なお、貸球として排出させる遊技球の数は、単位金額あたりの貸球の払出数を変更するための設定変更手段５８の設定に基づき決定されるようになっている。さらに払出制御装置５０は、遊技球の貸出しに使用した金額に関する情報を台間機３００に送信する。台間機３００では、この情報に基づき、カードの金額情報を減算する処理を行う。また、払出制御装置５０は、返却ＳＷ１２７の操作に基づき、該返却ＳＷ１２７が操作されたことに関する情報を台間機３００に送信する。台間機３００ではこの情報に基づき、挿入されたカードを排出する処理を行う。
【００５０】
次に、払出制御装置５０の詳細な構造について、図３から図９を参照して説明する。払出制御装置５０は、遊技機１００の制御を行う払出制御基板５１を基板ボックス５２に収納したものであって、遊技機１００の裏面側に取り付けられている。なお、払出制御装置５０は遊技機１００の裏面に取り付けられることで、遊技機１００の裏面側から見て図３に示すような向きで視認可能に配されるようになっている。よって、以下の説明では、図３に示すように、遊技機１００の裏面側に配された払出制御装置５０を遊技機１００の裏面側から見た状態を基準として、遊技機１００の裏面側から視認可能な面を前面（正面）、遊技盤１に取り付けられた側を後面とし、上下左右も遊技機１００の裏面側から見た状態での上下左右とする。
【００５１】
図６に示すように、払出制御基板５１は矩形板状の基板であって、複数の電子部品５４（一部のみ図示）が配されている。また、遊技機１００に取り付けられた際に、遊技機１００の裏面側から視認可能となる前面には、他の装置と接続するための複数のコネクタ５３，５３，…や、設定変更手段５８を取り付ける設定用コネクタ５５、エラー解除スイッチ５６が配されている。また、払出制御基板５１を基板ボックス５２の所定位置に配設するための、前後に貫通する嵌合孔５７が形成されている。この払出制御基板５１においては、例えば、所定の入力に基づいて所定数の遊技球（賞球、貸球）を排出装置１６０から排出させる制御を行うようになっており、このような制御を行う払出制御基板５１に対する不正行為を防止するために、払出制御基板５１は基板ボックス５２に収納されるようになっている。
【００５２】
払出制御基板５１を収納する基板ボックス５２は、払出制御装置５０の前面側を構成する第１ボックス構成部材６０と、後面側を構成する第２ボックス構成部材７０とを備え、図４に示すように、この第１ボックス構成部材６０と第２ボックス構成部材７０とを接合することで形成される空間である収納部５２ａに、払出制御基板５１を収納するようになっている。また、この第１ボックス構成部材６０と第２ボックス構成部材７０は後述する第１固着手段８０によって固着可能であって、これにより、払出制御基板５１が基板ボックス５２に完全に内包された状態となり、払出制御基板５１に対する不正行為を防止するようになっている。さらに、この基板ボックス５２を構成する第１ボックス構成部材６０、第２ボックス構成部材７０は、透光性の合成樹脂で形成されており、内部に収納した払出制御基板５１を視認可能となっている。
【００５３】
図６，７に示すように、払出制御装置５０の前面側を形成する第１ボックス構成部材６０は、払出制御装置５０の前面をなす略矩形状の前面壁６１と、該前面壁６１の周囲を囲むように一側面側に垂直に突出し、払出制御装置５０の前側の側面をなす前部周囲壁６２とを備えており、これら前面壁６１と前部周囲壁６２とから払出制御基板５１を収納可能な凹室状の前方収納部６３を備えた略矩形箱状に形成されている。
【００５４】
この第１ボックス構成部材６０における払出制御基板５１と対向する前面壁６１には、ここに収納される払出制御基板５１のコネクタ５３が設けられた部分に合わせて、開口した側（後方）へ膨出するコネクタ配設部６４が形成されている。そして、コネクタ配設部６４には前面壁６１の前後に貫通するコネクタ挿通開口部６５が設けられている。このコネクタ挿通開口部６５には、基板ボックス５２に収納された払出制御基板５１のコネクタ５３が前面壁６１の裏面側から挿入されるようになっている。これにより、コネクタ５３が払出制御装置５０の前面側に露出し、払出制御装置５０への配線が可能となっている。
【００５５】
また、コネクタ５３がコネクタ挿通開口部６５に挿入されることで、払出制御基板５１は上下左右方向への移動が規制されるようになり、さらには、コネクタ配設部６４に払出制御基板５１の前面が当接し、払出制御基板５１の前方への移動が規制される。また、前面壁６１における前方収納部６３の内側となる面である後面には、払出制御基板５１に形成された嵌合孔５７に嵌合することで、払出制御基板５１を収納部５２ａの所定位置に保持するための支持ボス６８が後方へ延出するように形成されている。すなわち、払出制御基板５１は前方収納部６３に収納されるとともに、コネクタ配設部６４、コネクタ挿通開口部６５、支持ボス６８により、第１ボックス構成部材６０に対する位置決めが行われるようになっている。なお、払出制御基板５１に設けるコネクタ５３、嵌合孔５７は一部分に集中させないで、複数箇所に分散して設けられており、払出制御基板５１が適切な位置に確実に保持されるようにされている。
【００５６】
また、矩形箱状の第１ボックス構成部材６０における前部周囲壁６２のうち、右側の前部周囲壁６２における後端部（開口側の端部）には、前部周囲壁６２から外側（右側）へ延出する板状の被係止部６６が形成されている。また、矩形箱状の第１ボックス構成部材６０における前部周囲壁６２のうち、左側の前部周囲壁６２における後端部には、前部周囲壁６２から後方へ延出する板状の被係合部６７が形成されている。この被係止部６６、被係合部６７により、後述するように第１ボックス構成部材６０と第２ボックス構成部材７０に接合されるようになっている。
【００５７】
また、第１ボックス構成部材６０の左側の前部周囲壁６２には、第１固着手段８０の一部をなす複数のかしめ部８１がそれぞれ第１ボックス構成部材６０から延設された連結部８２を介して設けられている。このかしめ部８１にはかしめねじ８６を挿通する挿通孔が前後に貫通するように形成されており、後述するように破壊しなければ取り外しできない方法で第１ボックス構成部材６０と第２ボックス構成部材７０とを固着するものである。
【００５８】
また、第１ボックス構成部材６０の前面壁６１における左下部には設定変更手段配設部６９が形成されている。この設定変更手段配設部６９は、上側に形成されたコネクタ配設部６４よりもさらに開口した側（後方）へ膨出しており、第１ボックス構成部材６０の前面に平行で設定変更手段５８が配される略矩形状の取付面６９ａと、該取付面６９ａの上側の縁部に連続する水平な面である段差面６９ｂとを有する。なお、設定変更手段配設部６９は、第１ボックス構成部材６０の左下部の角部に形成されているため、取付面６９ａの左側および下側の縁部は前面壁６１の縁部となっている。また、取付面６９ａの右側の縁部は、取付面６９ａよりもさらに開口した側（後方）へ膨出したコネクタ配設部６４に隣接している。よって、設定変更手段配設部６９は、取付面６９ａと段差面６９ｂとからなるＬ字状の面を有する。
【００５９】
この設定変更手段配設部６９の取付面６９ａには、前方収納部６３の所定位置に配設される払出制御基板５１に設けられた設定用コネクタ５５と対応する位置に、設定変更手段５８を取り付けるための保持凹部６９ｃ、保持部材６９ｅが形成されている。設定変更手段配設部６９に配される設定変更手段５８はディップスイッチであって、直方体状の躯体５８ａの前面に複数（本実施形態では４つ）のスイッチ５８ｂを備え、裏面からはリード線５８ｃが延出している。この設定変更手段５８を取り付ける保持凹部６９ｃは、直方体状をした設定変更手段５８の躯体５８ａの後部を収容可能な矩形状の凹部で、底となる面にはリード線５８ｃの位置に対応して前後に貫通する接続孔６９ｄが形成されている。また、保持部材６９ｅは、保持凹部６９ｃの左右に前方へ延出するように形成されており、その前端部分には、保持凹部６９ｃ側に突出する係合爪６９ｆが形成されている。そして、設定変更手段５８は、躯体５８ａの後端部分が保持凹部６９ｃに収容された状態で、躯体５８ａの前面に保持部材６９ｅの係合爪６９ｆが係合することにより、設定変更手段配設部６９に保持されるようになっている。この状態では、リード線５８ｃが接続孔６９ｄを通して前方収納部６３に延出し、該前方収納部６３に収納される払出制御基板５１に設けられた設定用コネクタ５５に接続するようになっている。
【００６０】
また、設定変更手段配設部６９の下方の位置にある前部周囲壁６２には、第２固着手段９０の一部をなすかしめ受部９３が、前部周囲壁６２から延出する連結部９４を介して複数形成されている。また、隣設するかしめ受部９３の間にも連結部９４が設けられ、隣設するかしめ受部９３どうしも連結部９４で連結されている。このかしめ受部９３には、ねじ止め部９５が形成されており、後述するように破壊しなければ取り外しできない方法で、設定変更手段配設部６９と、この設定変更手段配設部６９を覆うカバー部材２００とを固着するものである。また、設定変更手段配設部６９の段差面６９ｂには、カバー部材２００に形成された係合突起２０２が係合する被係合部６９ｇが形成されている。この被係合部６９ｇは、払出制御基板５１を収納する収納部５２ａに貫通しない凹部とされており、この被係合部６９ｇを介して設定変更手段５８または払出制御基板５１が操作されることはなく、遊技機１００の信頼性を高めることができる。
【００６１】
この設定変更手段配設部６９は、カバー部材２００により前側から覆われるようになっている。カバー部材２００は、設定変更手段配設部６９を覆う本体部２０１と、本体部２０１の上部の縁部に突出するように形成された係合突起２０２と、本体部２０１の下部に形成されたかしめ部９１とを備える。
【００６２】
本体部２０１は、取付面６９ａと段差面６９ｂとからなるＬ字状の面を有する設定変更手段配設部６９を前方から覆うように、後方および上方が開口した空間を形成する形状となっている。また、設定変更手段配設部６９にカバー部材２００を取り付けることで、本体部２０１の端面が、取付面６９ａと段差面６９ｂとからなるＬ字状の面の周縁に沿って配されるようになっている。これにより、取付面６９ａ、段差面６９ｂ、本体部２０１により、設定変更手段５８を収容する閉鎖した空間が形成され、設定変更手段５８が不正に操作されることを防止できるようになっている。
【００６３】
また、本体部２０１の上部の縁部に突出するように形成された係合突起２０２は、段差面６９ｂに形成された被係合部６９ｇに係合するようになっており、これにより、本体部２０１の上部が固定されるようになっている。また、係合突起２０２が形成された上部と対向する位置となる本体部２０１の下部に形成されたかしめ部９１は、設定変更手段配設部６９の下方の位置にある前部周囲壁６２に設けられたかしめ受部９３に対応するように、本体部２０１の下面から延出する連結部９２を介して複数設けられている。このかしめ部９１は、かしめねじ９６を挿通する挿通孔が前後に貫通するように形成されており、設定変更手段配設部６９の下方の位置にある前部周囲壁６２に設けられたかしめ受部９３とともに、設定変更手段配設部６９とカバー部材２００とを破壊しなければ取り外しできない方法で固着する第２固着手段９０を形成するものである。
【００６４】
このような構成を有するカバー部材２００は、上部の縁部に形成された係合突起２０２を、段差面６９ｂに形成された被係合部６９ｇに挿入するように、設定変更手段配設部６９に対して下側から配設する。そして、設定変更手段配設部６９の所定位置に配設されることで、第２固着手段９０をなすかしめ部９１とかしめ受部９３とが対向するように配され、固着可能な状態となる。この状態で、かしめ部９１の挿通孔に挿通したかしめねじ９６を対向するかしめ受部９３のねじ止め部９５に螺合する。かしめねじ９６は一方向（螺合方向）にしか廻せないワンウェイねじであり、一旦螺合すると取り外すことができないものであって、これにより、カバー部材２００に設けられたかしめ部９１と、前部周囲壁６２に設けられたかしめ受部９３が固着され、カバー部材２００が設定変更手段配設部６９を覆った状態で固着されるようになっている。さらに、かしめねじ９６で固着した後、かしめ部９１に保護キャップ９７を固着することで、かしめねじ９６の操作を防止するようにしている。以上のことから、第１ボックス構成部材６０における前面壁６１と前部周囲壁６２とで構成される前方収納部６３が、払出制御基板５１における設定変更手段５８を除く部分を覆う第１被覆部をなし、カバー部材２００が設定変更手段５８を覆う第２被覆部をなす。
【００６５】
図４，６に示すように、払出制御装置５０の後面側を形成する第２ボックス構成部材７０は、払出制御装置５０の後面をなす略矩形状の後面壁７１と、該後面壁７１の周囲を囲むように一側面側に垂直に突出し、払出制御装置５０の後ろ側の側面をなす後部周囲壁７２とを備えており、これら後面壁７１と後部周囲壁７２とから払出制御基板５１を収納可能な凹室状の後方収納部７３を備えた略矩形箱状に形成されている。
【００６６】
後面壁７１における後方収納部７３の内側となる面である前面には、払出制御基板５１を所定の前後位置に配するための位置決め用ボス７４が形成されている。また、後面壁７１における外側の面となる後面には、払出制御装置５０を遊技機１００に固定するための固定手段７５が設けられている。
【００６７】
また、矩形箱状の第２ボックス構成部材７０における後部周囲壁７２のうち、右側の後部周囲壁７２における外側（右側）には、係止部７６が形成されている。この係止部７６は、第１ボックス構成部材６０の右側の前部周囲壁６２に側方へ突出するように形成された被係止部６６を受け入れるための左方に開口した挿入部７６ａを備えている。また、矩形箱状の第２ボックス構成部材７０における後部周囲壁７２のうち、左側の後部周囲壁７２における外側（左側）には、係合部７７が形成されている。この係合部７７は、第１ボックス構成部材６０の左側の前部周囲壁６２に後方へ延出するように形成された被係合部６７を受け入れるための前方に開口した挿入部７７ａを有している。また、挿入部７７ａの内部には、被係合部６７に形成された係合孔６７ａに係合する係合爪７７ｂが形成されている。なお、係合部７７の挿入部７７ａは前後に貫通しており、挿入された被係合部６７を係合部７７の後方から操作できるようになっている。また、後部周囲壁７２の前端（開口側の端部）には、後方収納部７３の内周に沿って前方へ延出するリブ７８が形成されている。
【００６８】
また、第２ボックス構成部材７０における右側の後部周囲壁７２の外周面には、第１ボックス構成部材６０に設けられたかしめ部８１に対応するように複数のかしめ受部８３が、それぞれ第２ボックス構成部材７０から延設された連結部８４を介して設けられている。また、隣設するかしめ受部８３の間にも連結部８４が設けられ、隣設するかしめ受部８３どうしも連結部８４で連結されている。このかしめ受部８３には、ねじ止め部８５が形成されており、かしめねじ８６によって破壊しなければ取り外しできない方法で第１ボックス構成部材６０と第２ボックス構成部材７０とを固着する第１固着手段８０を構成するものである。
【００６９】
以上のような構成を有する基板ボックス５２は、図４に示すように、第１ボックス構成部材６０の前方収納部６３の開口と、第２ボックス構成部材７０の後方収納部７３の開口とが対向する向きで、間に払出制御基板５１を挟んだ状態で接合される。この接合の際にはまず、第１ボックス構成部材６０の被係止部６６を、第２ボックス構成部材７０の係止部７６の挿入部７６ａに挿入する。これにより、第１ボックス構成部材６０が第２ボックス構成部材７０に対して、係止部７６を中心として回動可能となる。
【００７０】
そして、第１ボックス構成部材６０を第２ボックス構成部材７０に対向させるように（収納部５２ａを閉鎖するように）回動させると、第１ボックス構成部材６０の被係合部６７が第２ボックス構成部材７０の係合部７７の挿入部７７ａに挿入される。このとき、被係合部６７の後端が係合爪７７ｂに当接することで、係合爪７７ｂを乗り越えるように弾性変形し、その後、係合孔６７ａと係合爪７７ｂが一致することで弾性変形していた被係合部６７が元の状態に復帰し、係合した状態となる。
【００７１】
これにより、第１ボックス構成部材６０と第２ボックス構成部材７０とが接合した状態で保持されるようになり、払出制御基板５１は第１ボックス構成部材６０の前方収納部６３と第２ボックス構成部材７０の後方収納部７３とから構成される収納部５２ａに収納された状態となる。また、後部周囲壁７２の前端（開口側の端部）に形成されたリブ７８が、前部周囲壁６２の内周に沿って嵌ることで、第１ボックス構成部材６０と第２ボックス構成部材７０との接合部分から収納部５２ａへの不正な部材の進入を防止するようになっている。
【００７２】
なお、第１固着手段８０による固着を行う前であれば、被係合部６７を係合部７７の挿入部７７ａの後方から弾性変形させて係合状態を解除し、第１ボックス構成部材６０を第２ボックス構成部材７０から離すように（収納部５２ａを開放するように）回動させることで、第１ボックス構成部材６０と第２ボックス構成部材７０の接合状態を解除することができる。
【００７３】
このように第１ボックス構成部材６０と第２ボックス構成部材７０とが接合した状態では、第１固着手段８０をなすかしめ部８１とかしめ受部８３とが対向するように配され、固着可能な状態となる。この状態で、かしめ部８１の挿通孔に挿通したかしめねじ８６を対向するかしめ受部８３のねじ止め部８５に螺合する。かしめねじ８６は一方向（螺合方向）にしか廻せないワンウェイねじであり、一旦螺合すると取り外すことができないものであって、これにより、第１ボックス構成部材６０に設けられたかしめ部８１と、第２ボックス構成部材７０に設けられたかしめ受部８３が固着され、第１ボックス構成部材６０と第２ボックス構成部材７０が固着されるようになっている。さらに、かしめねじ８６で固着した後、かしめ部８１に保護キャップ８７を固着することで、かしめねじ８６の操作を防止するようにしている。
【００７４】
以上のような払出制御装置５０において、設定変更手段５８を操作する場合には、図８に示すように、第２固着手段９０の固着を解除する。第２固着手段９０の固着の解除は、固着に使用したかしめ部９１の連結部９２を切断するとともに、固着に使用したかしめ受部９３を未使用のかしめ受部９３から切り離すように連結部９４を切断する。これにより第２固着手段９０の固着が解除され、カバー部材２００を取り外すことができて、設定変更手段５８を操作可能となる。すなわち、一度固着されたかしめ部９１とかしめ受部９３との固着は解除することができないので、このように不可逆的に破壊して開封する必要がある。これにより、カバー部材２００が容易に開封できなくなるとともに開封された履歴が残るようになり、不正行為を防止できる。また、このように開封した後に再び固着する場合は、未使用のかしめ部９１とかしめ受部９３を用いて固着作業を行う。なお、固着に使用したかしめ部９１の連結部９２もしくは固着に使用したかしめ受部９３の連結部９４のみを切断することでも固着の解除は可能である。
【００７５】
このように第２固着手段９０の固着を解除しても、基板ボックス５２は第１固着手段９０により固着された状態であるので、収納部５２ａに収納された払出制御基板５１を操作することは不可能である。また、被係合部６９ｇは収納部５２ａに貫通しない凹部であるので、ここから払出制御基板５１を操作することも不可能である。よって、第２固着手段９０の固着のみを解除した場合は、設定変更手段５８の操作のみが可能となり、不必要な払出制御基板５１の露出を防ぐことができ、単位金額あたりの貸球の払出数を変更する際に、同時に払出制御基板５１に何らかの改変を加えることが不可能となるので遊技機１００の信頼性を高めることができる。
【００７６】
単位金額あたりの貸球の払出数の変更は、設定変更手段５８のスイッチ５８ｂを操作することで行う。本実施形態の設定変更手段５８はスイッチ５８ｂを４つ備えており、これにより、設定を１６段階に切り替えることができるようになっている。この設定の内容は、例えば、消費税の税率の変更に合わせて、単位金額当たりの貸球個数を変更できるように、貸球金額が一個当たり４円である場合を基準として、１００円当たりの貸球個数を変更できるようにする。この場合、１００円当たり２５個を払い出す設定（減算０個）から、順次貸し出す個数を一つずつ減らすように、１００円当たり２４個を払い出す設定（減算１個）、１００円当たり２３個を払い出す設定（減算２個）、…１００円当たり１０個を払い出す設定（減算１５個）までの１６段階の何れか一つをスイッチ５８ｂの操作により選択できるようにする。また、例えば、貸球金額の変更に対応できるように、１００円当たり１００個を払い出す設定（貸球一個当たり１円）や、１００円当たり５０個を払い出す設定（貸球一個当たり２円）を選択できるようにしても良く、設定の内容は任意である。
【００７７】
また、スイッチ５６ｂを操作して設定を変更した場合は、エラー解除スイッチ５６を押下することで設定が完了するようになっている。また、遊技機１００に取り付けた状態で視認可能となる払出制御装置５０の前面をなす第１ボックス構成部材６０の前面壁６１の前面には、第２固着手段９０の固着を解除したことを記入する第２記入部６１ｂが設けられており、この第２記入部６１ｂの記録を見ることで容易に開封の履歴を把握できるようになっている。
【００７８】
また、払出制御基板５１を確認する場合には、図９に示すように、第１固着手段８０による固着を解除する。第１固着手段８０による固着の解除は、固着に使用したかしめ部８１の連結部８２を切断するとともに、固着に使用したかしめ受部８３を未使用のかしめ受部８３から切り離すように連結部８４を切断する。これにより第１固着手段８０による固着が解除され、第１ボックス構成部材６０を第２ボックス構成部材７０から取り外すことができて、払出制御基板５１を確認可能となる。すなわち、一度固着されたかしめ部８１とかしめ受部８３との固着は解除することができないので、このように不可逆的に破壊して開封する必要がある。これにより、基板ボックス５２を容易に開封できなくなるとともに開封された履歴が残るようになり、不正行為を防止できる。また、このように開封した後に再び固着する場合は、未使用のかしめ部８１とかしめ受部８３を用いて固着作業を行う。なお、固着に使用したかしめ部８１の連結部８２もしくは固着に使用したかしめ受部８３の連結部８４のみを切断することでも固着の解除は可能である。
【００７９】
このように、第１固着手段８０の固着を解除しても、第１ボックス構成部材６０と払出制御基板５１を離す際に、設定変更手段５８が設定用コネクタ５５から抜けて設定変更手段配設部６９に残るようになる。さらに、設定変更手段５８はカバー部材２００により覆われ、該カバー部材２００は設定変更手段配設部６９に対して第２固着手段９０により固着されているので、第２固着手段９０の固着を解除しなければ設定変更手段５８を操作することは不可能である。また、被係合部６９ｇは収納部５２ａに貫通しない凹部であるので、ここから設定変更手段５８を操作することも不可能である。よって、第１固着手段８０の固着のみを解除した場合は、払出制御基板５１の確認が可能となり、設定変更手段５８の操作は不可能のままとなる。よって、払出制御基板５１の確認と、設定変更手段５８の操作とで、固着を解除する必要のある固着手段が異なるので、目的とする作業以外の作業が行われることを防止できる。また、固着を解除すると痕跡が残るため、後に、設定変更手段５８のみを操作したのか、同時に払出制御基板５１に何らかの改変を加えたのかがわからなくなってしまうこともなく、遊技機１００の信頼性を高めることができる。また、遊技機１００に取り付けた状態で視認可能となる払出制御装置５０の前面をなす第１ボックス構成部材６０の前面壁６１の前面には、第１固着手段８０の固着を解除したことを記入する第１記入部６１ａが設けられており、この第１記入部６１ａの記録を見ることで容易に開封の履歴を把握できるようになっている。
【００８０】
以上のことから、遊技球を払い出す排出装置１６０と、所定の入力に基づき所定数の賞球もしくは貸球を払い出すように排出装置１６０を制御する払出制御装置５０と、を備えた遊技機１００において、払出制御装置５０は、払出制御基板５１と、該払出制御基板５１を内部の空間（収納部５２ａ）に収納する基板ボックス５２と、を備え、基板ボックス５２は、第１ボックス構成部材６０と、第２ボックス構成部材７０と、第１ボックス構成部材６０と第２ボックス構成部材７０とを固着する第１固着手段８０と、を備え、払出制御基板５１は、単位金額あたりの貸球の払出数を変更するための設定変更手段５８を備え、第１ボックス構成部材６０は、払出制御基板５１における設定変更手段５８を除く部分を覆う第１被覆部（前方収納部６３）と、設定変更手段５８を覆う第２被覆部（カバー部材２００）と、第１被覆部と第２被覆部とを固着する第２固着手段９０と、を備え、第２固着手段９０による固着のみを解除することで、設定変更手段５８のみを外部に露出可能となり、第１固着手段８０による固着を解除することで、払出制御基板５１を外部に露出可能となるようにしたこととなる。
【００８１】
また、設定変更手段５８を払出制御基板５１に対して着脱可能とするとともに、第１被覆部（前方収納部６３）に取り付けたこととなる。
【００８２】
また、第２被覆部（カバー部材２００）は係合突起２０２を備えるとともに、第１被覆部（前方収納部６３）は係合突起２０２と係合する被係合部６９ｇを備え、被係合部６９ｇは、払出制御基板５１を収納する空間（収納部５２ａ）に貫通しない凹部であることとなる。
【００８３】
また、第１固着手段８０及び第２固着手段９０は、痕跡が残るような方法でのみ固着を解除できるようにしたこととなる。
【００８４】
次に、上述のような払出制御装置５０での貸球の払い出しに関する制御について説明する。この払出制御装置５０では、球貸し要求に基づき、設定変更手段５８の設定を参照して単位金額あたり所定数の貸球を排出装置１６０に排出させる球貸し制御処理を行うようになっている。
【００８５】
この球貸し制御処理では、図１０に示すように、まず、貸出要望を受信したか否かの判定（ステップＳ１）を行う。この貸出要望を受信したか否かの判定（ステップＳ１）では、遊技者が球貸を要求する場合に操作する球貸ＳＷ１２６が操作されて、その検出信号が入力されたかが判定される。貸出要望を受信したか否かの判定（ステップＳ１）において、貸出要望を受信していない場合（ステップＳ１；ＮＯ）は、球貸制御処理を終了する。また、貸出要望を受信したか否かの判定（ステップＳ１）において、貸出要望を受信した場合（ステップＳ１；ＹＥＳ）は、シュート球切れが発生したか否かの判定（ステップＳ２）を行う。
【００８６】
シュート球切れが発生したか否かの判定（ステップＳ２）では、排出装置１６０に供給される遊技球の不足を検出する球切れＳＷ１２２が球切れを検出し、その検出信号が入力されたかが判定される。このシュート球切れが発生したか否かの判定（ステップＳ２）において、シュート球切れが発生した場合（ステップＳ２；ＹＥＳ）は、球貸制御処理を終了する。すなわち、この場合は、遊技機１００で異常が発生している状態であるので、球貸しに関する処理を中止する。なお、この場合に、外部に異常を報知するようにしても良い。また、シュート球切れが発生したか否かの判定（ステップＳ２）において、シュート球切れが発生していない場合（ステップＳ２；ＮＯ）は、オーバーフローが発生したか否かの判定（ステップＳ３）を行う。
【００８７】
オーバーフローが発生した状態であるか否かの判定（ステップＳ３）では、払い出される遊技球を受ける下皿１５４が満杯である状態を検出するオーバーフローＳＷ１２５からの検出信号が入力されたかが判定される。このオーバーフローが発生した状態であるか否かの判定（ステップＳ３）において、オーバーフローが発生した状態である場合（ステップＳ３；ＹＥＳ）は、球貸し制御処理を終了する。すなわち、この場合は、遊技機１００で異常が発生している状態であるので、球貸しに関する処理を中止する。なお、この場合に、外部に異常を報知するようにしても良い。また、オーバーフローが発生した状態であるか否かの判定（ステップＳ３）において、オーバーフローが発生した状態でない場合（ステップＳ３；ＮＯ）は、払出球検出スイッチ異常エラーが発生した状態であるか否かの判定（ステップＳ４）を行う。
【００８８】
払出球検出スイッチ異常が発生した状態であるか否かの判定（ステップＳ４）においては、払い出される遊技球を検出する払出球検出ＳＷ１２３で異常が発生した状態であるかが判定される。この払出球検出スイッチ異常が発生した状態であるか否かの判定（ステップＳ４）において、払出球検出スイッチ異常が発生した状態である場合（ステップＳ４；ＹＥＳ）は、球貸し制御処理を終了する。すなわち、この場合は、遊技機１００で異常が発生している状態であるので、球貸しに関する処理を中止する。なお、この場合に、外部に異常を報知するようにしても良い。また、払出球検出スイッチ異常が発生した状態であるか否かの判定（ステップＳ４）において、払出球検出スイッチ異常が発生した状態でない場合（ステップＳ４；ＮＯ）は、設定変更手段５８の設定を参照する処理（ステップＳ５）を行い、前回の設定と同じであるか否かの判定（ステップＳ６）を行う。
【００８９】
設定変更手段５８の設定を参照する処理（ステップＳ５）では、現在の設定変更手段５８の状態を読み出し、前回の設定と同じであるか否かの判定（ステップＳ６）では、記憶されている前回の設定と比較して同じであるかを判定する。この前回の設定と同じであるか否かの判定（ステップＳ６）において、前回の設定と同じでない場合（ステップＳ６；ＮＯ）は、球貸制御処理を終了する。この場合は、例えば、設定変更手段５８が不正に変更された場合や、正規に変更されたがその後エラー解除スイッチ５６押してない場合である。なお、この場合に、外部に異常を報知するようにしても良い。また、前回の設定と同じであるか否かの判定（ステップＳ６）において、前回の設定と同じである場合（ステップＳ６；ＹＥＳ）は、単位金額あたりの貸球の個数を決定する処理（ステップＳ７）を行う。
【００９０】
この単位金額あたりの貸球の個数を決定する処理（ステップＳ７）では、設定変更手段５８の状態（スイッチ５８ｂの状態）から、予め記憶されている設定から対応する設定を読み出し、単位金額あたりの貸球の個数を決定する処理を行い、その後、貸球の払い出しを行う処理（ステップＳ８）を行う。貸球の払い出しを行う処理（ステップＳ８）では、貸し出しに使用される金額と単位金額あたりの貸球数から払い出す貸球の個数を決定し、排出装置１６０に払い出させるようにする処理を行い、球貸制御処理を終了する。このような処理により、遊技者が球貸ＳＷ１２６を押すことで所定数の貸球が上皿１５３に払い出されるようになる。
【００９１】
なお、以上の実施形態では、設定変更手段５８をディップスイッチとしたが、これに限られず、ジャンパ線を接続または切断することで設定するようなものや、ジャンパピンを取り付けることによって設定を変更するようなものなど何でも良い。
【００９２】
次に、上述した実施形態の遊技機の変形例である、払出制御装置の変形例について図１１、１２を参照して説明する。なお、基本的には、上述の実施形態の遊技機と同様の構成を有しており、以下、同様の構成には同じ符号を付して説明を省略し、主に異なる部分について説明する。本変形例の払出制御装置２５０は、設定変更手段配設部６９に収納部５２ａに連通する連通部２５１が形成されている。
【００９３】
この連通部２５１は、払出制御基板５１の設定用コネクタ５５が設けられた位置に対応して形成された前後に貫通する開口であり、設定用コネクタ５５に取り付けられた設定変更手段５８が、この連通部２５１を通して設定変更手段配設部６９の前面側に露出するようになっている。
【００９４】
このような払出制御装置２５０において設定変更手段５８を操作する場合には、図１１に示すように、上述の実施形態と同じように第２固着手段９０の固着を解除する。これによりカバー部材２００を取り外すことができて、設定変更手段５８を操作可能となる。また、このように第２固着手段９０の固着を解除しても、基板ボックス５２は第１固着手段９０により固着された状態であるので、収納部５２ａに収納された払出制御基板５１を操作することは不可能である。また、被係合部６９ｇは収納部５２ａに貫通しない凹部であるので、ここから払出制御基板５１を操作することも不可能である。よって、第２固着手段９０の固着のみを解除した場合は、設定変更手段５８の操作のみが可能となる。
【００９５】
また、払出制御基板５１を確認する場合には、図１２に示すように、上述の実施形態と同じように第１固着手段８０による固着を解除する。これにより第１ボックス構成部材６０を第２ボックス構成部材７０から取り外すことができて、払出制御基板５１を確認可能となる。また、第１ボックス構成部材６０と払出制御基板５１を離す際に、設定変更手段５８が連通部２５１を抜けて払出制御基板５１に残るので、払出制御基板５１の確認と設定変更手段５８の操作の両方が可能となり、作業の効率を高めることができる。なお、本変形例の場合は設定変更手段５８を設定用コネクタ５５から着脱可能としなくても良い。
【００９６】
以上のような遊技機１００は、遊技球を払い出す排出装置１６０と、所定の入力に基づき所定数の賞球もしくは貸球を払い出すように排出装置１６０を制御する払出制御装置５０と、を備えた遊技機１００であって、払出制御装置５０は、払出制御基板５１と、該払出制御基板５１を内部の空間（収納部５２ａ）に収納する基板ボックス５２と、を備え、基板ボックス５２は、第１ボックス構成部材６０と、第２ボックス構成部材７０と、第１ボックス構成部材６０と第２ボックス構成部材７０とを固着する第１固着手段８０と、を備え、払出制御基板５１は、単位金額あたりの貸球の払出数を変更するための設定変更手段５８を備え、第１ボックス構成部材６０は、払出制御基板５１における設定変更手段５８を除く部分を覆う第１被覆部（前方収納部６３）と、設定変更手段５８を覆う第２被覆部（カバー部材２００）と、第１被覆部と第２被覆部とを固着する第２固着手段９０と、を備え、第２固着手段９０による固着のみを解除することで、設定変更手段５８のみを外部に露出可能となり、第１固着手段８０による固着を解除することで、払出制御基板５１を外部に露出可能となるようにしている。
【００９７】
したがって、第１ボックス構成部材６０は、払出制御基板５１における設定変更手段５８を除く部分を覆う第１被覆部と、設定変更手段５８を覆う第２被覆部と、第１被覆部と第２被覆部とを固着する第２固着手段９０と、を備え、第２固着手段９０による固着のみを解除することで、設定変更手段５８のみを外部に露出可能となり、第１固着手段８０による固着を解除することで、払出制御基板５１を外部に露出可能となるので、不必要な基板の露出を防ぐことができるとともに、遊技機１００の信頼性を高めることができる。すなわち、第２固着手段９０による固着のみを解除することで、払出制御基板５１が外部に露出することなく設定変更手段５８のみが操作可能となる。よって、単位金額あたりの貸球の払出数を変更する際に、同時に払出制御基板５１に何らかの改変を加えることが不可能となり、遊技機１００の信頼性を高めることができる。また、第１固着手段８０による固着を解除すれば払出制御基板５１の確認も可能である。
【００９８】
また、設定変更手段５８を払出制御基板５１に対して着脱可能とするとともに、第１被覆部（前方収納部６３）に取り付けている。
【００９９】
したがって、設定変更手段５８を払出制御基板５１に対して着脱可能とするとともに、第１被覆部に取り付けたので、遊技機１００の信頼性を高めることができる。すなわち、払出制御基板５１の確認を行う際に、第１固着手段８０による固着を解除して第１被覆部を取り外すと、一緒に設定変更手段５８も取り外されて設定の変更ができない状態となる。また、単位金額あたりの貸球の払出数を変更する際に、第２固着手段９０による固着のみを解除すれば、払出制御基板５１を外部に露出させることなく設定変更手段５８のみを操作可能となる。よって、払出制御基板５１の確認と、設定の変更とで、固着を解除する必要のある固着手段が異なるので、目的とする作業以外の作業が行われることを防止でき、また後に、設定変更手段５８のみを操作したのか、同時に基板に何らかの改変を加えたのかがわからなくなってしまうこともなく、遊技機１００の信頼性を高めることができる。
【０１００】
また、第２被覆部（カバー部材２００）は係合突起２０２を備えるとともに、第１被覆部（前方収納部６３）は係合突起２０２と係合する被係合部６９ｇを備え、被係合部６９ｇは、払出制御基板５１を収納する空間（収納部５２ａ）に貫通しない凹部である。
【０１０１】
したがって、第２被覆部は係合突起２０２を備えるとともに、第１被覆部は係合突起２０２と係合する被係合部６９ｇを備えるので、第２被覆部と第１被覆部とが確実に固定される。また、被係合部６９ｇは、払出制御基板５１を収納する空間に貫通しない凹部であるので、被係合部６９ｇを介して設定変更手段５８や払出制御基板５１が操作されることがなく、遊技機１００の信頼性を高めることができる。
【０１０２】
また、第１固着手段８０及び第２固着手段９０は、痕跡が残るような方法でのみ固着を解除できるようにしている。
【０１０３】
したがって、第１固着手段８０及び第２固着手段９０は、痕跡が残るような方法でのみ固着を解除できるようにしたので、いずれの固着手段の固着を解除したのかが分かるようになる。特に、払出制御基板５１の確認と、設定の変更とで、固着を解除する必要のある固着手段が異なる構成とした場合は、後に、設定変更手段５８を操作するための開封であったのか、払出制御基板５１を確認するための開封であったのかがわかるようになる。また、開封すると痕跡が残るため、不正な開封を確実に発見できる。
【０１０４】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１０５】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明を適用した一実施の形態の構成を示す遊技機、台間機の正面図である。
【図２】遊技機の制御系の一部を示すブロック図である。
【図３】払出制御装置の正面図である。
【図４】図３に示すＡ−Ａ断面図である。
【図５】払出制御装置の前面側から見た斜視図である。
【図６】払出制御装置の前面側から見た分解斜視図である。
【図７】第１ボックス構成部材の裏面側から見た斜視図である。
【図８】払出制御装置の前面側から見た斜視図であって、カバー部材を取り外した状態を示す図である。
【図９】払出制御装置の前面側から見た斜視図であって、第１ボックス構成部材を取り外した状態を示す図である。
【図１０】球貸制御処理を説明するためのフローチャートである。
【図１１】変形例にかかる払出制御装置の前面側から見た斜視図であって、カバー部材を取り外した状態を示す図である。
【図１２】変形例にかかる払出制御装置の前面側から見た斜視図であって、第１ボックス構成部材を取り外した状態を示す図である。
【符号の説明】
【０１０７】
５０    払出制御装置
５１    払出制御基板
５２    基板ボックス
５２ａ  収納部（空間）
５８    設定変更手段
６０    第１ボックス構成部材
６３    前方収納部（第１被覆部）
７０    第２ボックス構成部材
８０    第１固着手段
９０    第２固着手段
１００  遊技機
１６０  排出装置
２００  カバー部材（第２被覆部）
２０２  係合突起
【図１】
0005082159.tif 000002
【図２】
0005082159.tif 000003
【図３】
0005082159.tif 000004
【図４】
0005082159.tif 000005
【図５】
0005082159.tif 000006
【図６】
0005082159.tif 000007
【図７】
0005082159.tif 000008
【図８】
0005082159.tif 000009
【図９】
0005082159.tif 000010
【図１０】
0005082159.tif 000011
【図１１】
0005082159.tif 000012
【図１２】
0005082159.tif 000013